(57)【要約】【課題】閉店処理の作業を効率的に実行することができるＰＯＳシステムを提供する。【解決手段】本発明のＰＯＳシステムは、店員によって操作され、商品の登録処理を実行する商品登録機と、客によって操作され、登録処理の実行によって生成された代金データに基づいて代金の支払処理を実行する代金支払機と、を備え、商品登録機は、店員側表示部を有し、代金支払機及び商品登録機の閉店処理が実行されると、店員側表示部に閉店処理が実行されたことが表示される。【選択図】図６
2018156276.tif 000002
【特許請求の範囲】
【請求項１】
店員によって操作され、商品の登録処理を実行する商品登録機と、
客によって操作され、前記登録処理の実行によって生成された代金データに基づいて代金の支払処理を実行する代金支払機と、を備え、
前記商品登録機は、店員側表示部を有し、
前記代金支払機及び前記商品登録機の閉店処理が実行されると、前記店員側表示部に前記閉店処理が実行されたことが表示されるＰＯＳシステム。
【請求項２】
前記商品登録機には、店員側表示部とは別に設けられる客側表示部が設けられており、前記客側表示部には、前記閉店処理が実行されたことが表示される、請求項１記載のＰＯＳシステム。
【発明の詳細な説明】
【技術分野】
【０００１】
本発明は、セミオート式のＰＯＳ（Point  of  Sales）システムに関する。
【背景技術】
【０００２】
商品の登録処理を実行する商品登録機と、登録処理の実行によって生成された代金データに基づいて代金の支払処理を実行する代金支払機と、を備えるセミオート式のＰＯＳシステムが知られている（例えば、特許文献１参照）。セミオート式のＰＯＳシステムでは、店員が商品登録機を操作し、客が代金支払機を操作することにより、代金の支払いに要する時間の短縮化が図られている。上述したようなセミオート式のＰＯＳシステムの商品登録機及び代金支払機においては、例えば、閉店後に商品登録機及び代金支払機に収納されている貨幣を回収して金庫等に格納したりする、いわゆる閉店処理が実施されている（例えば、特許文献２参照）。
【先行技術文献】
【特許文献】
【０００３】
【特許文献１】特開２０１３−２４２８３９号公報
【特許文献２】特開２０１５−２８７４８号公報
【発明の概要】
【発明が解決しようとする課題】
【０００４】
しかしながら、一つの商品登録機に複数の代金支払機が連動されているため、従来と比べ、商品登録機及び代金支払機ごとに閉店処理がなされているか否かの確認作業を実施するのに作業効率が悪くなるという問題があった。
【０００５】
そこで、本発明は、閉店処理の作業を効率的に実行することができるＰＯＳシステムを
提供することを目的とする。
【課題を解決するための手段】
【０００６】
本発明のＰＯＳシステムは、店員によって操作され、商品の登録処理を実行する商品登録機と、客によって操作され、登録処理の実行によって生成された代金データに基づいて代金の支払処理を実行する代金支払機と、を備え、商品登録機は、店員側表示部を有し、代金支払機及び商品登録機の閉店処理が実行されると、店員側表示部に閉店処理が実行されたことが表示される。
【０００７】
この構成のＰＯＳシステムでは、商品登録機と代金支払機において閉店処理が実行されると、商品登録機の店員側表示部に閉店処理が実行されたことが表示されるため、遠く離れた位置からでも閉店処理がなされたことが確認できるため、商品登録機ごとに閉店処理がなされているか否かの確認作業を実施する手間を省略できる。
【０００８】
本発明のＰＯＳシステムでは、商品登録機に、店員側表示部とは別に設けられる客側表示部が設けられており、客側表示部には、閉店処理が実行されたことが表示されてもよい。
【０００９】
この構成のＰＯＳシステムでは、店員側表示部と客側表示部の両方に閉店処理が実行されたことが表示されるため、店舗のレイアウトに関わらず閉店処理の確認作業を効率的に実行することができる。
【発明の効果】
【００１０】
本発明によれば、閉店処理の作業を効率的に実行することができる。
【図面の簡単な説明】
【００１１】
【図１】一実施形態のＰＯＳシステムの構成を示すブロック図である。
【図２】図１のＰＯＳシステムの商品登録機の構成を示すブロック図である。
【図３】図２の商品登録機の外観斜視図である。
【図４】図１のＰＯＳシステムの代金支払機の構成を示すブロック図である。
【図５】図４の代金支払機の外観斜視図である。
【図６】図１のＰＯＳシステムにおける閉店処理を説明する説明図である。
【図７】図１のＰＯＳシステムにおける閉店処理を示すフローチャートである。
【図８】（Ａ）は、図１の商品登録機の客側表示器が閉店処理実行後に表示する画像の一例を示す図であり、（Ｂ）は、図１の商品登録機の客側表示器が閉店処理実行後に表示する画像の変形例を示す図である。
【発明を実施するための形態】
【００１２】
以下、本発明の実施形態について、図面を参照して詳細に説明する。なお、各図において同一又は相当部分には同一符号を付し、重複する説明を省略する。
［ＰＯＳシステムの構成］
【００１３】
図１に示されるように、ＰＯＳシステム１は、ストアコントローラ１０と、複数の商品登録機２０と、複数の代金支払機３０と、を備えている。ストアコントローラ１０、各商品登録機２０及び各代金支払機３０は、有線又は無線のＬＡＮ（Local  Area  Network）２によって相互に接続されている。ＰＯＳシステム１は、スーパーマーケット等の店舗に構築されたセミオート式のＰＯＳシステムである。つまり、ＰＯＳシステム１において、各商品登録機２０は、店員によって操作され、商品の登録処理を実行し、各代金支払機３０は、客によって操作され、登録処理の実行によって生成された代金データに基づいて代金の支払処理を実行する。なお、店員は、ＰＯＳシステム１が導入されている店舗の従業者等及び使用者等を含み、広義には、当該店舗の関係業者を含む。客とは、商品を購入する及び／又は購入した者を含み、広義には、店舗に対して代金の授受を行う及び／又は行った者を含む。
【００１４】
ストアコントローラ１０は、ＰＯＳシステム１を制御するコンピュータであり、商品マスタ等の種々の情報を管理する。ストアコントローラ１０は、各商品登録機２０及び各代金支払機３０と通信可能であり、各商品登録機２０及び各代金支払機３０に商品マスタを適宜送信する。商品マスタとは、各商品についての商品情報（商品の識別情報、並びに、商品名称及び販売価格に関する情報等）を格納したファイルである。商品マスタは、適宜更新される。
【００１５】
図２に示されるように、商品登録機２０は、ＣＰＵ（Central  Processing  Unit）２０１と、ＲＯＭ（Read  Only  Memory）２０２と、ＲＡＭ（Random  Access  Memory）２０３と、スキャナ２０４と、店員側表示器２０５と、客側表示器２０６と、操作部２０７と、通信部２０８と、スピーカ２０９と、印刷部２１０と、を備えている。これらは、バス２１５によって相互に接続されている。なお、商品登録機２０の外観は、図３に示されるとおりである。
【００１６】
ＣＰＵ２０１は、ＲＯＭ２０２に記憶されているプログラムを読み出して実行することにより、商品登録機２０の動作を制御する。ＲＯＭ２０２は、商品登録機２０の動作を制御するためのプログラムを記憶している。ＲＡＭ２０３は、ストアコントローラ１０から送信された商品マスタ、スキャナ２０４によって読み取られたバーコード（商品コード）に基づいて商品マスタから取得された商品情報、及び操作履歴に関する情報等を随時記憶する。
【００１７】
スキャナ２０４は、商品に付されているバーコード等を光学的に読み取る。店員側表示器２０５は、店員に対し、スキャナ２０４によって読み取られたバーコードに対応する商品名称及び販売価格等を表示する。客側表示器２０６は、客に対し、スキャナ２０４によって読み取られたバーコードに対応する商品名称及び販売価格等を表示する。なお、店員側表示器２０５及び客側表示器２０６は、タッチパネルを構成することで、操作部としても機能する。
【００１８】
操作部２０７は、商品登録機２０を動作させるための各種の操作ボタン（小計キー、現計キー、置数キー、訂正キー及びプリセットキー等）を有している。通信部２０８は、ＬＡＮ２を介して他の機器と通信を行う。スピーカ２０９は、商品登録機２０の操作音、及び各種の音声等を出力する。印刷部２１０は、適宜、各種の文字等を紙片に印刷して当該紙片を発行する。
【００１９】
以上のように構成された商品登録機２０においては、店員による操作の下、客が購入しようとしている商品に付されたバーコードがスキャナ２０４によって読み取られると、ＣＰＵ２０１によって商品マスタから商品情報が取得されて代金データが生成される（商品の登録処理の実行）。代金データには、客が購入しようとしている全ての商品についての単価及び数量、並びに、合計金額等に関する情報が含まれている。生成された代金データは、ストアコントローラ１０又は商品登録機２０に保存される。代金支払機３０は、ストアコントローラ１０又は商品登録機２０から代金データを取得する。
【００２０】
そして、生成された代金データがいずれか１つの代金支払機３０によって取得されると、客に対し、複数の代金支払機３０のうち代金データを取得した代金支払機３０（すなわち、客が代金の支払いを行うべき代金支払機３０）が報知される。客は、当該報知に基づいて指定された代金支払機３０において、商品の代金を支払う。以下、代金支払機３０の構成について詳述する。
【００２１】
図４に示されるように、代金支払機３０は、ＣＰＵ３０１と、ＲＯＭ３０２と、ＲＡＭ３０３と、スキャナ３０４と、客側表示器３０５と、操作部３０７と、通信部３０８と、スピーカ３０９と、印刷部３１０と、決済部３１１と、サインポール３１２と、人感知センサ３１３と、カメラ３１４と、を備えている。これらは、バス３１５によって相互に接続されている。なお、代金支払機３０の外観は、図５に示されるとおりである。
【００２２】
ＣＰＵ３０１は、ＲＯＭ３０２に記憶されているプログラムを読み出して実行することにより、代金支払機３０の動作を制御する。ＲＯＭ３０２は、代金支払機３０の動作を制御するためのプログラムを記憶している。ＲＡＭ３０３は、ストアコントローラ１０から送信された商品マスタ、及び操作履歴に関する情報等を随時記憶する。
【００２３】
スキャナ３０４は、会計券に印刷されたバーコード等を光学的に読み取る。客側表示器３０５は、客に対し、客が代金の支払いを行うための操作手順等を表示する。なお、客側表示器３０５は、タッチパネルを構成することで、操作部としても機能する。
【００２４】
操作部３０７は、代金支払機３０を動作させるための各種の操作ボタン（訂正キー及びプリセットキー等）を有している。通信部３０８は、ＬＡＮ２を介して他の機器と通信を行う。スピーカ３０９は、代金支払機３０の操作音、及び各種の音声等を出力する。印刷部３１０は、客が代金の支払いを行った際に、客に対し、購入した商品の一覧、各商品の金額、合計金額、受領金額及び釣り金額等を紙片に印刷して当該紙片（レシート）を発行する。
【００２５】
決済部３１１は、紙幣投入兼排出口３１１ａ、硬貨投入口３１１ｂ、硬貨排出口３１１ｃ、クレジットカード投入兼排出口３１１ｄ及び電子マネーリーダ３１１ｅ、並びに、それらを制御する制御部（図示省略）を有している。紙幣投入兼排出口３１１ａ、硬貨投入口３１１ｂ及び硬貨排出口３１１ｃは、入出金機（現金決済部）として機能する。客は、紙幣投入兼排出口３１１ａ等の現金決済部を介した現金での代金の支払い、クレジットカードリーダを介したクレジットカードでの代金の支払い、及び電子マネーリーダを介した電子マネーでの代金の支払いの少なくとも１つを選択することができる。
【００２６】
サインポール３１２は、複数色の表示灯を点灯又は点滅させることで、客が代金の支払いを行うための操作の実施が可能であること、及び何らかの異常が発生していること等を報知する。人感知センサ３１３は、代金支払機３０前の所定領域内に存在する客等を検知する。カメラ３１４は、代金支払機３０前の所定領域内に存在する客等を撮像する。
【００２７】
以上のように構成された代金支払機３０において、代金支払機３０前の所定領域内に入った客が人感知センサ３１３によって検知されると、客が代金の支払いを行うための操作手順の表示が客側表示器３０５によって開始される。このとき、操作手順を示す音声の出力もスピーカ３０９によって開始される。なお、客側表示器３０５の画面が客によってタッチされたとき、操作部３０７であるボタンが客によって押下されたとき、及び代金支払機３０前の所定領域内に入った客がカメラ３１４によって撮像されたときのいずれかのときに、操作手順の表示が客側表示器３０５によって開始されると共に、操作手順を示す音声の出力がスピーカ３０９によって開始されてもよい。
【００２８】
客は、客側表示器３０５による表示、及びスピーカ３０９による音声の出力に従って、操作部３０７、及びタッチパネルを構成する客側表示器３０５を介して代金支払機３０を操作し、代金の支払いを行う。一例としては、客が、商品登録機２０において発行された会計券に印刷されたバーコードをスキャナ３０４に読み取らせると、決済種別を選択するための選択画面が客側表示器３０５によって表示される。客は、客側表示器３０５において、現金、クレジットカード及び電子マネーのいずれかの決済種別、又は併用する複数の決済種別を選択し、決済部３１１において、選択した決済種別での支払いを行う。客によって代金の支払いが行われると、購入した商品の一覧等が印刷されたレシートが印刷部３１０によって発行される。
【００２９】
以上に説明したＰＯＳシステム１では、商品登録機２０及び代金支払機３０において閉店処理が実行される。閉店処理とは、閉店後（開店前等、予め決められた時又は日時であってもよい）等に決済部３１１（入出金機）内に収納されている金額（現金在高）を基準金額に調整（入出金機から貨幣を回収して金庫等に格納したり、金庫等から貨幣を持ち出して入出金機に補充したりする作業をいう。）している。本実施形態のようなセミオート式のＰＯＳシステム１では、商品登録機２０では、原則、貨幣の授受が生じないが、例えば、クーポン券等の精算をしたりするために、貨幣回収以外の閉店処理を代金支払機３０と同様に実行する。
【００３０】
ＰＯＳシステム１では、代金支払機３０において閉店処理が実行されると、商品登録機２０の閉店処理が自動的に実行される。代金支払機３０における閉店処理とは、店員モードを起動して各種メニューを実行したり、入出金機から売上金を回収する作業を実行したりすることである。各種メニューの例には、入出金機内在高と入出金機の理論在高とが一致しているか否かを確認する精査処理、及びストアコントローラ１０へ処理された内容を通知する日計精算処理等が含まれる。商品登録機２０における閉店処理とは、店員モードを起動して上記日計精算処理等を実行することである。
【００３１】
図１に示される本実施形態のように、代金支払機３０及び商品登録機２０が複数設置されている場合には、複数の代金支払機３０Ａ，３０Ｂ，３０Ｃ，３０Ｄ，・・・，３０Ｉ，３０Ｊが、複数の商品登録機２０Ａ，２０Ｂ，・・・，２０Ｅのそれぞれに対して関連付けられた状態で通信可能に設けられており、複数の商品登録機２０のそれぞれは、関連付けられている全ての代金支払機３０において閉店処理が実行されると、自動的に閉店処理が実行される。
【００３２】
本実施形態では、図６に示されるように、一の商品登録機２０Ａに対して二台の代金支払機３０Ａ，３０Ｂが関連付けられている。同様に、他の一の商品登録機２０Ｂに対して二台の代金支払機３０Ｃ，３０Ｄが関連付けられている。残りの商品登録機２０Ｃ，・・・，２０Ｅについても同様である。このような関連付けの情報は、商品登録機２０又はストアコントローラ１０が有する記憶部に記憶されている。商品登録機２０Ａは、二台の代金支払機３０Ａ，３０Ｂの両方において閉店処理が実行されると、自機の閉店処理が自動的に実行される。なお、具体的な閉店処理の流れは、後段にて詳述する。
【００３３】
商品登録機２０には、閉店処理が実行されたことを報知する報知部として店員側表示器２０５と客側表示器２０６とが設けられている。閉店処理が実行された商品登録機２０では、それ以降商品の登録は行うことができない。そこで、客を他の商品登録機２０に誘導するためのメッセージ（図８（Ａ）参照）を客側表示器２０６に表示してもよい。この場合、客を他の商品登録機２０に誘導することができると共に、店員は、このメッセージを視認することにより、当該商品登録機２０において閉店処理が実行されたことを間接的に把握することができる。図８（Ａ）に示すメッセージは、店員側表示器２０５にも表示してもよい。
【００３４】
また、単に図８（Ｂ）に示されるように、閉店処理が実行されたことを直接的に示すメッセージを店員側表示器２０５と客側表示器２０６との少なくとも一方に表示してもよい。この場合であっても、店員は、このメッセージを視認することにより、当該商品登録機２０において閉店処理が実行されたことを直接的に把握することができる。また、店員側表示器２０５には、図８（Ｂ）に示されるメッセージを表示し、客側表示器２０６には、図８（Ａ）に示されるメッセージを表示する等、選択的にメッセージ内容を変えてもよい。更に、図８（Ａ）に示されるメッセージの内容「他のレジにおまわり下さい」と、図８（Ｂ）に示されるメッセージの内容「閉店処理済」を一画面にまとめて表示してもよい。
【００３５】
［ＰＯＳシステムにおける閉店処理の動作例］
上述したＰＯＳシステム１の閉店処理の動作例について、図６、図７、図８（Ａ）及び図８（Ｂ）を参照して説明する。ここでは、三台の商品登録機２０のうち一台の商品登録機２０Ａに着目する。
【００３６】
図７に示されるように、商品登録機２０Ａは、代金支払機３０における閉店処理の実行の有無を監視している（ステップＳ１）。具体的には、商品登録機２０Ａに関連付けて記憶されている二台の代金支払機３０Ａ及び代金支払機３０Ｂにける閉店処理の実行の有無を監視している。代金支払機３０Ａ及び代金支払機３０Ｂにおいて閉店処理が実行されると、商品登録機２０Ａは、その結果を取得する（ステップＳ２）。商品登録機２０Ａは、閉店処理実行結果を代金支払機３０Ａ又は代金支払機３０Ｂから直接取得してもよいし、ストアコントローラ１０を介して取得してもよい。商品登録機２０Ａは、例えば、代金支払機３０Ａ及び代金支払機３０Ｂにおける閉店処理実行結果を自機の記憶部（図示せず）等に記憶する（ステップＳ３）。
【００３７】
次に、商品登録機２０Ａは、自機に関連付けられている全ての代金支払機３０Ａ，３０Ｂにおいて閉店処理が実行されたか否かを判定する（ステップＳ４）。ここで、商品登録機２０Ａは、全ての代金支払機３０Ａ，３０Ｂにおいて閉店処理が実行されていないと判定すると（Ｓ４：ＮＯ）、残りの代金支払機における閉店処理（代金支払機３０Ａ又は代金支払機３０Ｂ）の実行の有無の監視を続行する。
【００３８】
ステップＳ４において、商品登録機２０Ａが、全ての代金支払機３０Ａ，３０Ｂにおいて閉店処理が実行されていると判定すると（Ｓ４：ＹＥＳ）、自機の閉店処理を実行する（ステップＳ５）。以上、ステップＳ１〜ステップＳ５の処理により、代金支払機３０Ａ及び代金支払機３０Ｂの両方において閉店処理が実行されると、商品登録機２０Ａの閉店処理が自動的に実行される。
［作用及び効果］
【００３９】
上記実施形態のＰＯＳシステム１では、通常であれば、店員等が操作部２０７等を介して閉店処理が実行されるところ、代金支払機３０において閉店処理が実行されると、代金支払機３０と通信可能な商品登録機２０の閉店処理が自動的に実行される。これにより、商品登録機２０ごとに閉店処理がなされているか否かの確認作業を実施する手間を省略できるので、閉店処理の作業を効率的に実行することができる。
【００４０】
なお、店内の全ての商品登録機２０及び代金支払機３０において閉店処理がなされないまま、ストアコントローラ１０の閉店処理を行うと、エラーが表示される。ストアコントローラ１０の表示部には、閉店処理が実行されていない商品登録機２０及び代金支払機３０が表示される。例えば、売上データを本部等に送信をする運用を行う場合、当該送信ができなくなる。このため、店員は、閉店処理が行われていない商品登録機２０及び代金支払機３０の閉店処理を実行する必要がある。上記実施形態のＰＯＳシステム１では、特に閉店処理が忘れがちな商品登録機２０の閉店処理を確実に実行することができるので、閉店処理の作業を効率的に実行することができる。
【００４１】
上記実施形態のＰＯＳシステム１では、複数の代金支払機３０Ａ，３０Ｂ，３０Ｃ，３０Ｄ，・・・，３０Ｉ，３０Ｊが、複数の商品登録機２０Ａ，２０Ｂ，・・・，２０Ｅのそれぞれに対して関連付けられた状態で通信可能に設けられており、複数の商品登録機２０Ａ，２０Ｂ，・・・，２０Ｅのそれぞれは、関連付けられている全ての代金支払機３０Ａ，３０Ｂ，３０Ｃ，３０Ｄ，・・・，３０Ｉ，３０Ｊにおいて閉店処理が実行されると、自動的に閉店処理が実行される。これにより、複数の商品登録機２０Ａ，２０Ｂ，・・・，２０Ｅと複数の代金支払機３０Ａ，３０Ｂ，３０Ｃ，３０Ｄ，・・・，３０Ｉ，３０Ｊとが設けられる構成のＰＯＳシステム１であっても、閉店処理の作業を効率的に実行することができる。また、閉店時間に向けて徐々に稼働する商品登録機２０及び代金支払機３０の数を減らしていくような運用に対応することができる。
【００４２】
上記実施形態のＰＯＳシステム１では、商品登録機２０には、閉店処理が実行されたことが店員側表示器２０５及び客側表示器２０６に表示されるので、商品登録機２０において閉店処理が実行されたことを容易に確認できる。特に、本実施形態のように複数台の商品登録機２０が並んで配置される場合には、その確認が更に容易になる。
［変形例］
【００４３】
以上、一実施形態について説明したが、本発明は、上記実施形態に限定されない。
［変形例１］
上記実施形態のＰＯＳシステム１では、商品登録機２０が、自機に関連付けられた複数の代金支払機３０の全てにおいて閉店処理が実行されたか否かの判定を実行する例を挙げて説明したが、これに限定されない。例えば、ストアコントローラ１０が、商品登録機２０に対し関連付けられている代金支払機３０の情報を有しており、ストアコントローラ１０が、当該情報に基づいて、一の商品登録機２０に関連付けられた複数の代金支払機３０の全てにおいて閉店処理が実行されたか否かの判定を実行してもよい。この場合、ストアコントローラ１０が、代金支払機３０の閉店処理状況に基づいて、商品登録機２０の閉店処理の実行の有無を制御してもよい。このような制御であっても、代金支払機３０において閉店処理が実行されると、商品登録機２０の閉店処理が自動的に実行される。
【００４４】
［変形例２］
上記実施形態又は変形例では、複数の代金支払機３０Ａ，３０Ｂ，３０Ｃ，３０Ｄ，・・・，３０Ｉ，３０Ｊが、複数の商品登録機２０Ａ，２０Ｂ，・・・，２０Ｅのそれぞれに対して関連付けられた状態で通信可能に設けられている例を挙げて説明したが、これに限定されない。例えば、一台の代金支払機３０と一台の商品登録機２０とからなるＰＯＳシステムに適用することも可能である。この場合、一台の代金支払機３０が、一台の商品登録機２０に対して関連付けられた状態で通信可能に設けられ、一台の代金支払機３０において閉店処理が実行されると、一台の商品登録機２０の閉店処理が自動的に実行されるように構成することができる。
【００４５】
また、例えば、一台の代金支払機３０と二台以上の商品登録機２０とからなるＰＯＳシステムに適用することも可能である。この場合、一台の代金支払機３０が、二台以上の商品登録機２０に対して関連付けられた状態で通信可能に設けられ、二台以上の代金支払機３０の全てにおいて閉店処理が実行されると、一台の商品登録機２０の閉店処理が自動的に実行されるように構成することができる。
【００４６】
［変形例３］
上記実施形態では、一台の代金支払機３０と二台の商品登録機２０とが関連付けられ、二台の代金支払機３０の全てにおいて閉店処理が実行されると、一台の商品登録機２０の閉店処理が自動的に実行される例を挙げて説明したが、例えば、一台の代金支払機３０と二台以上（例えば、三台）の商品登録機２０とが関連付けられ、二台以上の代金支払機３０の全てにおいて閉店処理が実行されると、一台の商品登録機２０の閉店処理が自動的に実行されるように構成することができる。
【００４７】
［その他の変形例］
上記実施形態又は変形例では、商品登録機２０には、閉店処理が実行されたことを報知する報知部の例として、店員側表示器２０５及び客側表示器２０６を挙げて説明したが、例えば、その旨をスピーカ２０９等から音声として報知してもよいし、その旨を通信可能に設けられた、例えば、ストアコントローラ１０、サーバ装置、又は携帯端末等を介して通知してもよい。
【００４８】
また、上記実施形態では、商品登録機２０が代金データを生成したが、商品登録機２０によって実行された商品の登録処理に基づいてストアコントローラ１０又は代金支払機３０が代金データを生成するようにしてもよい。
【００４９】
また、商品の登録処理を実行した商品登録機２０、又はストアコントローラ１０が、複数の代金支払機３０の中から、商品の登録処理の実行によって生成された代金データに基づいて代金の支払処理を実行する代金支払機３０を決定してもよい。
【符号の説明】
【００５０】
１…ＰＯＳシステム、１０…ストアコントローラ、２０（２０Ａ，２０Ｂ，・・・，２０Ｅ）…商品登録機、３０（３０Ａ，３０Ｂ，３０Ｃ，３０Ｄ，・・・，３０Ｉ，３０Ｊ）…代金支払機、２０５…店員側表示器（報知部）、２０６…客側表示器（報知部）、２０９…スピーカ（報知部）。
【図１】
2018156276.tif 000003
【図２】
2018156276.tif 000004
【図３】
2018156276.tif 000005
【図４】
2018156276.tif 000006
【図５】
2018156276.tif 000007
【図６】
2018156276.tif 000008
【図７】
2018156276.tif 000009
【図８】
2018156276.tif 000010